(57)【要約】【課題】  感染症の感染者の場内への入場を管理するとともに、感染症の広がりを防止する。【解決手段】  制御部１１は、キーボード１７やバーコードスキャナ１６を用いて入力された入場者のＩＤ番号、個人情報をインタフェース１４を介して受け取り、記憶部１２に記憶させる。また、キーボード１７から入力された入場者の診察結果と診察日時がインタフェース１４を介して制御部１１に供給されると、診察結果と診察日時が記憶部１２に供給され、ＩＤ番号と対応付けて記憶される。制御部１１は、ＩＤ番号、個人情報、診察結果、診察日時、およびこれらのデータを所定のフォーマットで印字するよう指示するコマンドをプリンタ２０に通信制御部１３を介して送信する。プリンタ２０の制御部２１は通信制御部２３を介して受信した上記データを印字部２６に供給し、印字部２６は上記データをラベル１００に上記フォーマットで印字する。【選択図】  図１
2005050279.tif 000002
【特許請求の範囲】
【請求項１】
所定の場所へ入場しようとする各個人の入場を管理する入場管理システムであって、
各個人を識別するための識別情報を入力する第１の入力手段と、
各個人に関する個人情報を入力する第２の入力手段と、
各個人の診察結果を入力する第３の入力手段と、
前記識別情報と、前記個人情報と、前記診察結果と、診察が行われた診察日時を各個人毎に対応付けて記憶する記憶手段と、
前記診察結果に応じて、前記診察結果に対応する前記個人に対して、少なくとも前記識別情報と、前記個人情報と、前記診察結果と、前記診察日時に対応するデータが記録されたラベルを発行するラベル発行手段と
を備えることを特徴とする入場管理システム。
【請求項２】
前記ラベルは、少なくとも前記識別情報と、前記診察結果と、前記診察日時が印字された第１の部分と、少なくとも前記識別情報と、前記個人情報と、前記診察日時が印字された第２の部分とからなる
ことを特徴とする請求項１に記載の入場管理システム。
【請求項３】
前記第１の部分と前記第２の部分とは切り離され、前記第１の部分は前記個人の着衣に貼付され、前記第２の部分は所定の台帳に貼付される
ことを特徴とする請求項２に記載の入場管理システム。
【請求項４】
前記識別情報は、前記ラベルの前記第１の部分にバーコードによって記録され、前記第１の入力手段は、前記バーコードによって記録された前記識別情報を読み取る
ことを特徴とする請求項２または３のいずれかに記載の入場管理システム。
【請求項５】
所定の場所へ入場しようとする各個人の入場を管理するサーバと、前記サーバに所定のネットワークを介して接続された複数のコンピュータと、各コンピュータに接続されたプリンタとからなる入場管理システムであって、
各コンピュータは、
各個人を識別するための識別情報を入力する第１の入力手段と、
各個人に関する個人情報を入力する第２の入力手段と、
各個人の診察結果を入力する第３の入力手段と、
前記識別情報と、前記個人情報と、前記診察結果と、診察が行われた診察日時を各個人毎に対応付けて記憶する記憶手段と、
前記記憶手段によって記憶された前記識別情報と、前記個人情報と、前記診察結果と、前記診察が行われた診察日時を前記プリンタおよび前記サーバに送信する送信手段と、
所定の検索キーを前記サーバに送信し、前記検索キーに対応するデータの送信を要求する要求手段と、
前記サーバから受け取った前記検索キーに対応するデータを検索結果として出力する出力手段と
を備え、
各プリンタは、
前記送信手段によって送信された前記識別情報と、前記個人情報と、前記診察結果と、前記診察が行われた診察日時を受信する受信手段と、
前記診察結果に応じて、前記診察結果に対応する前記個人に対して、少なくとも前記識別情報と、前記個人情報と、前記診察結果と、前記診察日時に対応するデータが記録されたラベルを発行するラベル発行手段と
を備え、
前記サーバは、
各コンピュータの各送信手段によって送信された前記前記識別情報と、前記個人情報と、前記診察結果と、前記診察が行われた診察日時を各個人毎に蓄積する蓄積手段と、
前記コンピュータからの前記要求に応じて、前記検索キーに対応するデータを前記蓄積手段から検索し、検索結果を前記コンピュータに提供する提供手段と
を備えることを特徴とする入場管理システム。
【発明の詳細な説明】
【技術分野】
【０００１】
本発明は、感染症に感染しているか否かに応じて個人の入場を管理する入場管理システムに関するものである。
【背景技術】
【０００２】
現在、ＳＡＲＳ感染国では、これ以上の蔓延を防止するために、施設によっては訪問者の体温を測り、体温が正常な訪問者にはそれを確認するシールを着衣に貼り、入場を許可することが行われている。また、ＳＡＲＳ感染者が特定の施設の訪問者からの感染によって発生した場合に備え、各施設の訪問者の履歴を取ることが求められている。
また、感染症の発症状況情報と地図情報および区域単位毎の人口密度情報を含む地図関連情報に基づいて、発症状況情報中の所定発症期間内の発症者から第１号および第２号発症者を選定し、この２者の行動情報を地図上で重ね合わせ、重なった部分を感染伝搬地とする。発症状況情報に基づき、発症区域単位に係る人口密度に対する発症密度の指標を求める発症密度相関モデルと、感染場所の位置情報と、発症時刻情報とで感染症の伝搬速度を求め、発症区域単位に係る人口密度に対する伝搬速度の指標を求める伝搬速度相関モデルとを作成し、両モデルから、指定した区域単位の発症者数を算出して伝搬シミュレーションを行うことにより、感染症伝搬のシミュレーション解析を行うことかできるようにしたものがある。
【特許文献１】特開２００２−２７９０７６号公報
【発明の開示】
【発明が解決しようとする課題】
【０００３】
解決しようとする問題点は、感染症に感染している感染者と感染していない非感染者とを識別して所定の場所への入場を管理し、感染症の広がりを防止するということができない点である。
【課題を解決するための手段】
【０００４】
請求項１に記載の入場管理システムは、所定の場所へ入場しようとする各個人の入場を管理する入場管理システムであって、各個人を識別するための識別情報を入力する第１の入力手段と、各個人に関する個人情報を入力する第２の入力手段と、各個人の診察結果を入力する第３の入力手段と、識別情報と、個人情報と、診察結果と、診察が行われた診察日時を各個人毎に対応付けて記憶する記憶手段と、診察結果に応じて、診察結果に対応する個人に対して、少なくとも識別情報と、個人情報と、診察結果と、診察日時に対応するデータが記録されたラベルを発行するラベル発行手段とを備えることを特徴とする。
また、ラベルは、少なくとも識別情報と、診察結果と、診察日時が印字された第１の部分と、少なくとも識別情報と、個人情報と、診察日時が印字された第２の部分とからなるようにすることができる。
また、第１の部分と第２の部分とは切り離され、第１の部分は個人の着衣に貼付され、第２の部分は所定の台帳に貼付されるようにすることができる。
また、識別情報は、ラベルの第１の部分にバーコードによって記録され、第１の入力手段は、バーコードによって記録された識別情報を読み取るようにすることができる。
請求項５に記載の入場管理システムは、所定の場所へ入場しようとする各個人の入場を管理する、サーバと、サーバに所定のネットワークを介して接続された複数のコンピュータと、各コンピュータに接続されたプリンタとからなる入場管理システムであって、各コンピュータは、各個人を識別するための識別情報を入力する第１の入力手段と、各個人に関する個人情報を入力する第２の入力手段と、各個人の診察結果を入力する第３の入力手段と、識別情報と、個人情報と、診察結果と、診察が行われた診察日時を各個人毎に対応付けて記憶する記憶手段と、記憶手段によって記憶された識別情報と、個人情報と、診察結果と、診察が行われた診察日時をプリンタおよびサーバに送信する送信手段と、所定の検索キーをサーバに送信し、検索キーに対応するデータの送信を要求する要求手段と、サーバから受け取った検索キーに対応するデータを検索結果として出力する出力手段とを備え、各プリンタは、送信手段によって送信された識別情報と、個人情報と、診察結果と、診察が行われた診察日時を受信する受信手段と、診察結果に応じて、診察結果に対応する個人に対して、少なくとも識別情報と、個人情報と、診察結果と、診察日時に対応するデータが記録されたラベルを発行するラベル発行手段とを備え、サーバは、各コンピュータの各送信手段によって送信された識別情報と、個人情報と、診察結果と、診察が行われた診察日時を各個人毎に蓄積する蓄積手段と、コンピュータからの要求に応じて、検索キーに対応するデータを蓄積手段から検索し、検索結果をコンピュータに提供する提供手段とを備えることを特徴とする。
【発明の効果】
【０００５】
本発明の入場管理システムによれば、感染者を未然に発見し、入場の際に感染の疑いのないことを示すラベルを入場者に貼付することができ、感染症の場内への広がりを防止するとともに、入場者が安心感を得られるようにすることができる。また、サーバで各個人の感染情報を共有することにより、各個人の追跡管理が可能となり、ある程度、感染者の移動経路や接触者を知ることができる。これにより、感染被害の拡大を抑制するための対策（消毒など）を早急に実施することが可能となる。
【発明を実施するための最良の形態】
【０００６】
本発明は、感染症に感染していない入場者に対してラベルを発行し、入場者の着衣にこのラベル貼付することにより、場内への感染者の入場を防止して感染の広がりを抑制し、入場者に対しては安心感を与えることができるようにするものである。
【実施例１】
【０００７】
図１は、本発明の入場管理システムの第１の実施例の構成を示すブロック図である。同図に示すように、本実施例は、パーソナルコンピュータ（ＰＣ）１０と、プリンタ２０とから構成されている。ＰＣ１０には、各種データを表示する表示装置１５と、バーコードによって記録された情報を読み取るバーコードスキャナ１６と、各種データやコマンドを入力するためのキーボード１７とが接続されている。
【０００８】
また、ＰＣ１０は、図示せぬＣＰＵ（ｃｅｎｔｒａｌ  ｐｒｏｃｅｓｓｉｎｇ  ｕｎｉｔ）やメモリ等によって構成され、各部を制御する制御部１１と、各種データを記憶する記憶部１２と、外部機器との間の通信を制御する通信制御部１３と、インタフェース１４とから構成されている。バーコードスキャナ１６によって読み取られたバーコードの情報は、インタフェース１４を介して制御部１１に供給されるようになっている。また、ユーザがキーボード１７を操作して入力した各種データやコマンドは、インタフェース１４を介して制御部１１に供給されるようになっている。
【０００９】
プリンタ２０は、図示せぬＣＰＵ（ｃｅｎｔｒａｌ  ｐｒｏｃｅｓｓｉｎｇ  ｕｎｉｔ）やメモリ等によって構成され、各部を制御する制御部２１と、各種データを記憶するＦｌａｓｈＲＯＭ（ｒｅａｄ  ｏｎｌｙ  ｍｅｍｏｒｙ）２２と、外部機器との間の通信を制御する通信制御部２３と、各種データやコマンドを入力するための操作部２４と、各種データを表示する表示装置２５と、各種データをラベル１００に印字して発行する印字部２６とから構成されている。
【００１０】
次に、図２のフローチャートを参照して、本実施例を用いた入場管理の手順について説明する。ここでは、所定の飛行場内に入場する場合について説明する。まず最初に、ステップＳ１において、利用客である入場者に対して個人ＩＤ番号（ＩＤ番号）が割り当てられ、登録される。このＩＤ番号は、航空券を購入したときに割り当てるようにしてもよい。即ち、飛行場内への入場を管理する担当者は、キーボード１７を操作して、入場者の氏名および連絡先（例えば電話番号）等の個人情報と、入場者に対して割り当てられたＩＤ番号を入力し、登録を指示するコマンドを入力する。ＩＤ番号が入場者の所持する航空券にバーコードによって記録されている場合には、バーコードによって記録されているＩＤ番号をバーコードスキャナ１６を用いて読み取り、読み取ったＩＤ番号を入力するようにしてもよい。
【００１１】
ＰＣ１０の制御部１１は、キーボード１７からインタフェース１４を介して入力された入場者の氏名および連絡先等の個人情報と、キーボード１７またはバーコードスキャナ１６からインタフェース１４を介して入力されたＩＤ番号と、キーボード１７からインタフェース１４を介して入力されたコマンドとを互いに関連付けて記憶部１２に記憶させる。その後、ステップＳ２に進む。
【００１２】
次に、ステップＳ２において、入場者は医師の診察を受ける。ステップＳ３においては、担当者によってキーボード１７が操作され、診察結果と、診察日時と、ＩＤ番号が入力される。入力された診察結果と、診察日時と、ＩＤ番号に対応するデータは、それぞれインタフェース１４を介して制御部１１に供給される。制御部１１に供給された診察結果と、診察日時と、ＩＤ番号に対応するデータは、それぞれ記憶部１２に供給され、互いに対応付けて登録される。診察結果は、例えば、感染症に感染しているか否かを示すデータや、診察時に計測された利用者の体温を示すデータ等からなる。
【００１３】
ステップＳ４においては、ＰＣ１０の制御部１１により、診察結果に対応するデータに基づいて、感染症に感染している疑いがあるか否かが判定される。感染症に感染している疑いがあると判定された場合、ステップＳ９に進み、入場者が感染症に感染していることを示すメッセージを表示装置１５に表示する。このメッセージを目視により確認した担当者の指示により、入場者は直ちに病院に搬送される。一方、感染症に感染している疑いがないと判定された場合、ステップＳ５に進み、制御部１１は、診察結果、診察日時、および入場者のＩＤ番号に対応するデータと、氏名および連絡先等の個人情報に対応するデータと、これらのデータを所定のフォーマットで印字するよう指示するコマンドとを通信制御部１３を介してプリンタ２０に供給する。
【００１４】
プリンタ２０の制御部２１は、ＰＣ１０より送信されてきた診察結果、診察日時、および入場者のＩＤ番号に対応するデータと、氏名および連絡先等の個人情報に対応するデータと、これらのデータを所定のフォーマットで印字するよう指示するコマンドを通信制御部２３を介して受け取ると、これらのデータをコマンドによって指示されたフォーマットで印字するよう印字部２６に指令する。この指令を受けた印字部２６は、このデータをコマンドによって指示されたフォーマットでラベル１００に印字し、発行する。
【００１５】
図３は、プリンタ２０によって発行されたラベル１００の例を示している。同図に示すように、ラベル１００は、入場者に貼付する入場者貼付部１０１と、台帳に貼付して保管するための台帳貼付部１０２とからなり、入場者貼付部１０１と台帳貼付部１０２の境界にはミシン目が形成されており、簡単に分離することができるようになっている。
【００１６】
入場者貼付部１０１には、診察結果（例えば、「所見なし」）と、診察日時（例えば、「２００３／５／１６  １０：３５」）と、入場者を識別するためのＩＤ番号に対応するバーコードが印字される。また、台帳貼付部１０２には、入場者を識別するためのＩＤ番号（例えば、「１２３４５６７８」）と、連絡先（例えば、電話番号「０３−１２３−４５６７」）と、診察日時（例えば、「２００３／０５／１６  １０：３５」）が印字される。
【００１７】
ステップＳ６においては、ラベル１００の入場者貼付部１０１と台帳貼付部１０２とが切り離され、入場者貼付部１０１が入場許可ラベルとして入場者の着衣に貼付される。ステップＳ７においては、台帳貼付部１０２が、所定の台帳に貼付される。次に、ステップＳ８において、入場者が飛行場内に入場する。その後、本処理を終了する。他に入場者がいる場合、同様の処理が繰り返し行われる。
【実施例２】
【００１８】
次に、本発明の入場管理システムの第２の実施例について説明する。第２の実施例の構成は、図１に示した第１の実施例の構成と同様であるのでその図示および説明は省略する。図４は、第２の実施例を用いた入場管理の手順を示すフローチャートである。
【００１９】
以下、図４のフローチャートを参照して、本実施例を用いた入場管理の手順について説明する。ここでは、ある会社の工場内への入場を管理する場合について説明する。まず最初に、ステップＳ２１において、入場者が社員であるか否かが判断される。入場者が社員ではなく来客者である場合、ステップＳ２３において、この来客者に対して来客ＩＤ（ＩＤ番号）が割り当てられ、登録される。即ち、入場を管理する担当者は、キーボード１７を操作して、来客者の氏名および連絡先等の個人情報と、来客者に対して割り当てるＩＤ番号を入力し、登録を指示するコマンドを入力する。
【００２０】
ＰＣ１０の制御部１１は、キーボード１７から入力された来客者の氏名および連絡先等の個人情報と、ＩＤ番号と、コマンドをインタフェース１４を介して受け取り、氏名および連絡先等の個人情報とＩＤ番号を関連付けて記憶部１２に記憶させる。その後、ステップＳ２４に進む。
【００２１】
一方、入場者が社員である場合、ステップＳ２２において、バーコードスキャナ１６を用いて、社員証に印刷されているバーコードの情報（ＩＤ番号）が読み取られる。読み取られたバーコードの情報（ＩＤ番号）は、インタフェース１４を介して制御部１１に供給される。制御部１１は、インタフェース１４を介して供給されたバーコードの情報（ＩＤ番号）を記憶部１２に供給し、記憶させる。
【００２２】
次に、ステップＳ２４において、入場者は医師の診察を受ける。ステップＳ２５においては、担当者によってキーボード１７が操作され、診察結果に対応するデータと、診察日時に対応するデータが入力される。入力された診察結果に対応するデータと診察日時に対応するデータは、インタフェース１４を介して制御部１１に供給される。制御部１１に供給された診察結果および診察日時に対応するデータは、記憶部１２に供給され、ＩＤ番号と対応付けて登録される。診察結果は、例えば、感染症に感染しているか否かを示すデータや、診察時に計測された入場者の体温を示すデータ等からなる。
【００２３】
ステップＳ２６においては、ＰＣ１０の制御部１１により、診察結果に対応するデータに基づいて、感染症に感染している疑いがあるか否かが判定される。感染症に感染している疑いがあると判定された場合、ステップＳ３１に進み、入場者が感染症に感染していることを示すメッセージを表示装置１５に表示する。このメッセージを目視により確認した担当者の指示により、入場者は直ちに病院に搬送される。一方、感染症に感染している疑いがないと判定された場合、ステップＳ２７に進み、制御部１１は、診察結果、診察日時、および入場者のＩＤ番号に対応するデータと、連絡先等の個人情報に対応するデータと、これらのデータを所定のフォーマットで印字するよう指示するコマンドとを通信制御部１３を介してプリンタ２０に供給する。
【００２４】
プリンタ２０の制御部２１は、ＰＣ１０より送信されてきたデータとコマンドを通信制御部２３を介して受け取ると、このデータをコマンドによって指定されたフォーマットで印字するよう印字部２６に指令する。この指令を受けた印字部２６は、このデータをコマンドによって指定されたフォーマットでラベル１００に印字し、発行する。例えば、図３に示したようなラベル１００が発行される。第２の実施例において発行されるラベル１００の構造および印字内容は、第１の実施例において発行されるものと基本的に同様であるので、その説明は省略する。
【００２５】
ステップＳ２８においては、ラベル１００の入場者貼付部１０１と台帳貼付部１０２とが切り離され、入場者貼付部１０１が入場許可ラベルとして入場者の着衣に貼付される。ステップＳ２９においては、台帳貼付部１０２が、所定の台帳に貼付される。次に、ステップＳ３０において、入場者が工場内に入場する。その後、本処理を終了する。他に入場者がいる場合、同様の処理が繰り返し行われる。
【実施例３】
【００２６】
次に、本発明の入場管理システムの第３の実施例について説明する。図５は、第３の実施例の構成を示すブロック図である。同図に示すように、本実施例は、サーバ３０と、ＰＣ１０と、プリンタ２０とから構成されている。ＰＣ１０およびプリンタ２０の構成は、図１に示した第１の実施例の場合と同様であるので、その説明は省略する。本実施例では、新たにサーバ３０が追加されている。サーバ３０は、パーソナルコンピュータ等によって構成されている。
【００２７】
サーバ３０には、各種データを表示する表示装置３５と、各種データやコマンドを入力するためのキーボード３６が接続されている。また、サーバ３０は、ＣＰＵ（ｃｅｎｔｒａｌ  ｐｒｏｃｅｓｓｉｎｇ  ｕｎｉｔ）やメモリ等によって構成され、各部を制御する制御部３１と、各種データを記憶する記憶部３２と、外部機器との間の通信を制御する通信制御部３３と、インタフェース３４とから構成されている。ユーザがキーボード３６を操作して入力した各種データやコマンドは、インタフェース３４を介して制御部３１に供給されるようになっている。
【００２８】
以下、図６のフローチャートを参照して、本実施例を用いた入場管理の手順について説明する。ここでは、ビル等の所定の場所に入場する場合について説明する。まず最初に、ステップＳ４１において、入場者に対して個人ＩＤ（ＩＤ番号）が割り当てられ、登録される。即ち、場内への入場を管理する担当者は、ＰＣ１０のキーボード１７を操作して、入場者の氏名および連絡先等の個人情報と、入場者に対して割り当てられたＩＤ番号を入力し、登録を指示するコマンドを入力する。入場者がＩＤカードを所持している場合には、バーコードスキャナ１６を用いて、入場者が所持するＩＤカードに印刷されたバーコード等によって記録されたＩＤ番号を読み取り、読み取ったＩＤ番号を入力するようにしてもよい。
【００２９】
ＰＣ１０の制御部１１は、キーボード１７からインタフェース１４を介して入力された入場者の氏名および連絡先等の個人情報と、キーボード１７またはバーコードスキャナ１６からインタフェース１４を介して入力されたＩＤ番号と、キーボード１７からインタフェース１４を介して入力されたコマンドを互いに関連付けて記憶部１２に記憶させる。その後、ステップＳ４２に進む。
【００３０】
次に、ステップＳ４２において、入場者は医師の診察を受ける。ステップＳ４３においては、担当者によってキーボード１７が操作され、診察結果に対応するデータと、診察日時に対応するデータが入力される。入力された診察結果に対応するデータと診察日時に対応するデータは、インタフェース１４を介して制御部１１に供給される。制御部１１に供給された診察結果および診察日時に対応するデータは、記憶部１２に供給され、ＩＤ番号と対応付けて登録される。診察結果は、例えば、感染症に感染しているか否かを示すデータや、診察時に計測された利用者の体温を示すデータ等からなる。
【００３１】
次に、ステップＳ４４において、制御部１１は、記憶部１２に登録された診察結果と、診察日時と、その診察結果に対応するＩＤ番号と、氏名や連絡先等の個人情報とを通信制御部１３を介して所定のネットワークを介してサーバ３０に転送する。サーバ３０に転送された診察結果と、診察日時と、その診察結果に対応するＩＤ番号と、氏名や連絡先等の個人情報は、通信制御部３３によって受信され、制御部３１に供給される。制御部３１は、ＰＣ１０より転送されてきた診察結果と、診察日時と、その診察結果に対応するＩＤ番号と、氏名や連絡先等の個人情報とを記憶部３２に供給し、互いに関連付けて記憶させる。
【００３２】
ステップＳ４５においては、ＰＣ１０の制御部１１により、診察結果に対応するデータに基づいて、感染症に感染している疑いがあるか否かが判定される。感染症に感染している疑いがあると判定された場合、ステップＳ５０に進み、入場者が感染症に感染していることを示すメッセージを表示装置１５に表示する。さらに、ＰＣ１０の制御部１１は、この入場者の過去の診察結果のデータを送信するようサーバ３０に対して要求する。この要求を受けたサーバ３０の制御部３１は、この入場者の過去の診察結果のデータをＩＤ番号を検索キーにして検索し、得られた過去の診察結果のデータと、その診察結果を得るための診察が行われた診察日時と、診察場所等のデータをＰＣ１０に送信する。そして、この診察結果のデータに対応する診察日時と、診察場所等のデータを表示装置１５に表示する。
【００３３】
ステップＳ５１においては、担当者により、前回の診察日時から今回の診察日時までの間に入場者が移動した場所が追跡調査される。ステップＳ５２においては、入場者を病院に搬送したり、ステップＳ５１で調査した場所の消毒をするなど、感染拡大を防止するための対策が講じられる。
【００３４】
一方、ステップＳ４５において、感染症に感染している疑いがないと判定された場合、ステップＳ４６に進み、制御部１１は、診察結果、診察日時、および入場者のＩＤ番号に対応するデータと、氏名および連絡先等の個人情報に対応するデータと、これらのデータを所定のフォーマットで印字するよう指示するコマンドとを通信制御部１３を介してプリンタ２０に供給する。
【００３５】
プリンタ２０の制御部２１は、ＰＣ１０より送信されてきた診察結果、診察日時、および入場者のＩＤ番号に対応するデータと、氏名および連絡先等の個人情報に対応するデータと、これらのデータを所定のフォーマットで印字するよう指示するコマンドを通信制御部２３を介して受け取ると、これらのデータをコマンドによって指定されたフォーマットで印字するよう印字部２６に指令する。この指令を受けた印字部２６は、これらのデータをコマンドによって指定されたフォーマットでラベル１００に印字し、発行する。ラベル１００の印字例は図３に示したようになる。
【００３６】
ステップＳ４７においては、ラベル１００の入場者貼付部１０１と台帳貼付部１０２とが切り離され、入場者貼付部１０１が入場許可ラベルとして入場者の着衣に貼付される。ステップＳ４８においては、台帳貼付部１０２が、所定の台帳に貼付される。次に、ステップＳ４９において、入場者が場内に入場する。その後、本処理を終了する。他に入場者がいる場合、同様の処理が繰り返し行われる。
【００３７】
また、場内から退場するとき、入場許可ラベル１０１に印字されたバーコードを読み取り、バーコードに対応するＩＤ番号と、退場時刻とを記憶装置１２に記憶させるとともに、サーバ３０に送信し、サーバ３０の記憶部３１に記憶させることもできる。これにより、ある場所から退場した退場時刻が分かるので、感染した時刻や場所をより正確に特定することが可能となる。
【００３８】
なお、上記各実施例の構成および動作は例であって、本発明の趣旨を逸脱しない範囲で適宜変更することができることは言うまでもない。
【図面の簡単な説明】
【００３９】
【図１】本発明の入場管理システムの第１の実施例の構成を示すブロック図である。
【図２】第１の実施例を用いた入場管理の手順を示すフローチャートである。
【図３】プリンタによって発行されたラベルの例を示す図である。
【図４】第２の実施例を用いた入場管理の手順を示すフローチャートである。
【図５】本発明の入場管理システムの第３の実施例の構成を示すブロック図である。
【図６】第３の実施例を用いた入場管理の手順を示すフローチャートである。
【符号の説明】
【００４０】
１０  ＰＣ
１１，２１，３１  制御部
１２，３２  記憶部
１３，２３，３３  通信制御部
１４，３４  インタフェース
１５，２５，３５  表示装置
１６  バーコードスキャナ
１７，３６  キーボード
２０  プリンタ
２２  ＦｌａｓｈＲＯＭ
２４  操作部
２６  印字部
３０  サーバ
１００  ラベル
１０１  入場者貼付部
１０２  台帳貼付部
【図１】
2005050279.tif 000003
【図２】
2005050279.tif 000004
【図３】
2005050279.tif 000005
【図４】
2005050279.tif 000006
【図５】
2005050279.tif 000007
【図６】
2005050279.tif 000008